(57)【要約】【課題】ユーザが必要とするランドマークを表示し、かつナビゲーション情報の内容を容易に把握することのできる地図コンテンツを効率よく生成する地図コンテンツ生成装置及び生成方式を提供する。【解決手段】ユーザの目的情報に関連したランドマークデータだけを取捨選択し、簡略化された地図データとし、出力先の表示画面サイズに応じて地図データを分割する、あるいはデータサイズを縮小することによって１画面でその地図データ全体を表示する。【選択図】　　　　図８
2004101586.tif 000002
【特許請求の範囲】
【請求項１】
現在地及び目的地の情報が入力される情報入力部と、
位置座標と文字、記号とで構成されるランドマークデータと、道路中心線データと、ベクトル及び各種名称で構成される道路データとが格納されている地図データが記憶されたデータベース部と、
前記地図データのうち、前記情報入力部に入力された現在地及び目的地の情報と前記地図データとを照らし合わせて特定される現在地から目的地までの地域の地図データを識別する位置情報識別部と、
前記位置情報識別部で識別された地図データからランドマークデータ及び／または道路データを取捨選択し、簡略化された地図データとする解析を行うデータ解析部と、
現在地から目的地までの最適な進行ルートを選択し、その進行ルート上にある前記簡略化された地図データの道路形状を単純化し、デフォルメ処理して、表示用地図データを生成するデータ処理部と、
前記表示用地図データを地図データ出力装置に出力する情報出力部とを備え、前記データ処理部が前記地図データ出力装置の画像表示可能サイズに応じて表示用地図データを縮小することを特徴とする地図コンテンツ生成装置。
【請求項２】
現在地及び目的地の位置情報が入力される情報入力部と、
位置座標と文字、記号とで構成されるランドマークデータと、道路中心線データと、ベクトル及び各種名称で構成される道路データとが格納されている地図データが記憶されたデータベース部と、
前記地図データのうち、前記情報入力部に入力された現在地及び目的地の情報と前記地図データとを照らし合わせて特定される現在地から目的地までの地域の地図データを識別する位置情報識別部と、
前記位置情報識別部で識別された地図データからランドマークデータ及び／または道路データを取捨選択し、簡略化された地図データとする解析を行うデータ解析部と、
現在地から目的地までの最適な進行ルートを選択し、その進行ルート上にある前記簡略化された地図データの道路形状を単純化し、デフォルメ処理して、表示用地図データを生成するデータ処理部と、
前記表示用地図データを地図データ出力装置に出力する情報出力部とを備え、前記データ処理部が前記地図データ出力装置の画像表示可能サイズに応じて表示用地図データを分割することを特徴とする地図コンテンツ生成装置。
【請求項３】
前記情報出力部が分割された表示用地図データのうちの一の表示用地図データを前記地図データ出力装置に出力することを特徴とする請求項２に記載の地図コンテンツ生成装置。
【請求項４】
前記情報出力部が、前記分割された表示用地図データのうちの残りの表示用地図データを他の地図データ出力装置に出力することを特徴とする請求項３に記載の地図コンテンツ生成装置。
【請求項５】
前記情報入力部では目的情報が入力され、前記データ解析部が、前記情報入力部で入力された目的情報に関連したランドマークデータだけを取捨選択し、簡略化された地図データとすることを特徴とする請求項１または請求項２に記載の地図コンテンツ生成装置。
【請求項６】
前記情報入力部では交通情報が入力され、前記データ処理部がその交通情報に基づいて進行ルートを識別することを特徴とする請求項１または請求項２に記載の地図コンテンツ生成装置。
【請求項７】
前記データ処理部が特定の交通手段で限定される進行ルートを識別することを特徴とする請求項５または請求項６に記載の地図コンテンツ生成装置。
【請求項８】
現在地及び目的地の情報が入力される情報入力ステップと、位置座標と文字、記号とで構成されるランドマークデータと、道路中心線データと、ベクトル及び各種名称で構成される道路データとが格納されている地図データと前記入力された情報とを照らし合わせて現在地から目的地までの地域の地図データを識別する位置情報識別ステップと、
前記位置情報識別ステップで識別された地図データからランドマークデータを取捨選択し、簡略化された地図データとする解析を行うデータ解析ステップと、現在地から目的地までの最適な進行ルートを選択し、その進行ルート上にある前記簡略化された地図データの道路形状を単純化し、デフォルメ処理して、表示用地図データを生成し、地図データ出力装置の画像表示可能サイズに応じてその表示用地図データを縮小するデータ処理ステップと、
前記縮小された表示用地図データを前記地図データ出力装置に出力する情報出力ステップと、
を含むことを特徴とする地図コンテンツ生成方式。
【請求項９】
現在地及び目的地の情報が入力される情報入力ステップと、位置座標と文字、記号とで構成されるランドマークデータと、道路中心線データと、ベクトル及び各種名称で構成される道路データとが格納されている地図データと前記入力された情報とを照らし合わせて現在地から目的地までの地域の地図データを識別する位置情報識別ステップと、
前記位置情報識別ステップで識別された地図データからランドマークデータを取捨選択し、簡略化された地図データとする解析を行うデータ解析ステップと、現在地から目的地までの最適な進行ルートを選択し、その進行ルート上にある前記簡略化された地図データの道路形状を単純化し、デフォルメ処理して、表示用地図データを生成し、地図データ出力装置の画像表示可能サイズに応じてその表示用地図データを分割するデータ処理ステップと、
前記分割された表示用地図データを前記地図データ出力装置に出力する情報出力ステップと、
を含むことを特徴とする地図コンテンツ生成方式。
【請求項１０】
現在地及び目的地の情報が入力される情報入力ステップと、
位置座標と文字、記号とで構成されるランドマークデータと、道路中心線データと、ベクトル及び各種名称で構成される道路データとが格納されている地図データと前記入力された情報とを照らし合わせて現在地から目的地までの地域の地図データを識別する位置情報識別ステップと、
前記位置情報識別ステップで識別された地図データからランドマークデータを取捨選択し、簡略化された地図データとする解析を行うデータ解析ステップと、現在地から目的地までの最適な進行ルートを選択し、その進行ルート上にある前記簡略化された地図データの道路形状を単純化し、デフォルメ処理して、表示用地図データを生成し、地図データ出力装置の画像表示可能サイズに応じてその表示用地図データを分割するデータ処理ステップと、
前記分割された表示用地図データのうちの一の表示用地図データを前記地図データ出力装置に出力する情報出力ステップと、
を含むことを特徴とする地図コンテンツ生成方式。
【請求項１１】
前記情報送信ステップ部で、前記分割された表示用地図データのうちの残りの表示用地図データを他の地図データ出力装置に出力することを特徴とする請求項１０に記載の地図コンテンツ生成方式。
【請求項１２】
前記情報入力ステップでは目的情報が入力され、前記データ解析ステップで、その入力された目的情報に関連したランドマークデータだけを取捨選択し、簡略化された地図データとすることを特徴とする請求項８〜１０のいずれか一に記載の地図コンテンツ生成方式。
【請求項１３】
前記情報入力ステップでは交通情報が入力され、前記データ処理ステップで、その交通情報に基づいて進行ルートを識別することを特徴とする請求項８〜１０のいずれか一に記載の地図コンテンツ生成方式。
【請求項１４】
前記データ処理ステップで、特定の交通手段で限定される進行ルートを識別することを特徴とする請求項８〜１０のいずれか一に記載の地図コンテンツ生成方式。
【発明の詳細な説明】
【０００１】
【発明の属する技術分野】
本発明は、地図コンテンツ生成装置及び生成方式に関するものである。
【０００２】
【従来の技術】
従来、目的地までの進行ルートやその途中の目印（ランドマーク）を地図画面上に表示することによって、ユーザを案内するカーナビゲーション装置が提供されている。その表示される地図の基となる地図データとしては位置座標と文字、記号とで構成されるランドマークデータ、道路中心線データ、ベクトル及び各種名称で構成される道路データなどがあるが、それらをそのまま表示すると、文字や形状はつぶれて見難くなり、しかもどれが目印であるか分からないため、ユーザの欲する地図にはなっていなかった。
【０００３】
そこで、最近では地図データを基に道路上の最短経路が決定され、その経路周辺の情報のみを抽出し、他の情報を削除した後にデフォルメ処理によって簡略地図を生成する方法が開示されている（例えば、特許文献１参照。）。この方法によって、形状がつぶれることなく、見やすい簡略地図を生成することが可能となっている。なお、デフォルメ処理とは、所定のアルゴリズムに基づいて、地図データにおける道路を中心とした形状の簡素化や角度の正規化などの処理を行い、簡略地図を生成する情報処理のことである。
【０００４】
また、上記方法の中のデフォルメ処理としてランドマークの表示が重ならないようにランドマークデータを間引いてデータ数を減らす変形を行った後に出力する方法が開示されている（例えば、特許文献２参照。）。これによって、画面の表示サイズが小さい携帯端末機でも見やすい地図の表示が可能であるとしている。
【０００５】
【特許文献１】
特開平１１−２０２７６２号公報（第５−８頁）
【特許文献２】
特開平１０−０７４０４２号公報（第２２−２６頁）
【０００６】
【発明が解決しようとする課題】
しかしながら、上記第１に示した方法では、カーナビでの使用を前提としているため、表示画面の小さい携帯電話などの携帯端末機に適用した場合には、地図データサイズに対して表示可能サイズが小さく、地図データの一部のみしか表示されず、ユーザは必要とする地図データ、すなわちナビゲーション情報を十分に把握することができなかった。
【０００７】
上記第２に示した方法によって表示画面の小さい携帯端末機でもある程度のデータサイズまでは地図データを表示することができるが、現在地から目的地までの距離が長い場合などには必然的にデータサイズが大きくなるため、表示できるサイズに限界があった。また、データサイズが表示可能サイズを上回った場合には地図データの一部のみが表示され、表示されない部分を見ることができなかった。さらに、ランドマークが間引かれるために場合によってはユーザが必要とするランドマークデータまで削除されてしまうため、結果としてユーザの見やすい地図とはならない場合があった。
【０００８】
本発明は、以上の従来技術における問題に鑑みてなされたものであり、ユーザが必要とするランドマークを表示し、かつナビゲーション情報の内容を容易に把握することのできる地図コンテンツを効率よく生成する地図コンテンツ生成装置及び生成方式を提供することを目的とする。
【０００９】
【課題を解決するための手段】
前記課題を解決するために提供する請求項１の発明に係る地図コンテンツ生成装置は、現在地及び目的地の情報が入力される情報入力部と、位置座標と文字、記号とで構成されるランドマークデータと、道路中心線データと、ベクトル及び各種名称で構成される道路データとが格納されている地図データが記憶されたデータベース部と、前記地図データのうち、前記情報入力部に入力された現在地及び目的地の情報と前記地図データとを照らし合わせて特定される現在地から目的地までの地域の地図データを識別する位置情報識別部と、前記位置情報識別部で識別された地図データからランドマークデータ及び／または道路データを取捨選択し、簡略化された地図データとする解析を行うデータ解析部と、現在地から目的地までの最適な進行ルートを選択し、その進行ルート上にある前記簡略化された地図データの道路形状を単純化し、デフォルメ処理して、表示用地図データを生成するデータ処理部と、前記表示用地図データを地図データ出力装置に出力する情報出力部とを備え、前記データ処理部が前記地図データ出力装置の画像表示可能サイズに応じて表示用地図データを縮小することを特徴とする。
【００１０】
これにより、簡素化された地図データを携帯電話、ＰＤＡ、カーナビゲーションなどをはじめとする携帯端末機あるいはパソコンなどに表示するとき、簡素化された地図データをそのまま表示するのではなく、表示画面サイズに応じたデータサイズに縮小することによって１画面でその地図データ全体を表示することができる。
ここで、入力、出力とはそれぞれキーボード操作によるものだけではなく、有線、無線通信における受信、送信によるものなど情報が入力、出力される手段としてはとくに限定されない。
【００１１】
前記課題を解決するために提供する請求項２に係る地図コンテンツ生成装置は、現在地及び目的地の位置情報が入力される情報入力部と、位置座標と文字、記号とで構成されるランドマークデータと、道路中心線データと、ベクトル及び各種名称で構成される道路データとが格納されている地図データが記憶されたデータベース部と、前記地図データのうち、前記情報入力部に入力された現在地及び目的地の情報と前記地図データとを照らし合わせて特定される現在地から目的地までの地域の地図データを識別する位置情報識別部と、前記位置情報識別部で識別された地図データからランドマークデータ及び／または道路データを取捨選択し、簡略化された地図データとする解析を行うデータ解析部と、現在地から目的地までの最適な進行ルートを選択し、その進行ルート上にある前記簡略化された地図データの道路形状を単純化し、デフォルメ処理して、表示用地図データを生成するデータ処理部と、前記表示用地図データを地図データ出力装置に出力する情報出力部とを備え、前記データ処理部が前記地図データ出力装置の画像表示可能サイズに応じて表示用地図データを分割することを特徴とする。
【００１２】
これにより、簡素化された地図データを携帯電話、ＰＤＡ、カーナビゲーションなどをはじめとする携帯端末機あるいはパソコンなどに表示するとき、簡素化された地図データをそのまま表示するのではなく、表示画面サイズに応じたデータサイズに分割することによって分割されたうちで必要な部分の地図データを表示することができる。
【００１３】
前記課題を解決するために提供する請求項３に係る地図コンテンツ生成装置は、請求項２の発明において、前記情報出力部が分割された表示用地図データのうちの一の表示用地図データを前記地図データ出力装置に出力することを特徴とする。
【００１４】
これにより、簡素化された地図データを携帯電話、ＰＤＡ、カーナビゲーションなどをはじめとする携帯端末機あるいはパソコンなどに表示するとき、簡素化された地図データをそのまま表示するのではなく、表示画面サイズに応じたデータサイズに分割することによって分割されたうちで必要な部分の地図データの１つを表示することができる。また、分割された地図データを順次表示するようにしてもよい。
【００１５】
前記課題を解決するために提供する請求項４に係る地図コンテンツ生成装置は、請求項３の発明において、前記情報出力部が、前記分割された表示用地図データのうちの残りの表示用地図データを他の地図データ出力装置に出力することを特徴とする。
【００１６】
これにより、簡素化された地図データを携帯電話、ＰＤＡ、カーナビゲーションなどをはじめとする携帯端末機あるいはパソコンなどに表示するとき、簡素化された地図データをそのまま表示するのではなく、表示画面サイズに応じたデータサイズに分割することによって分割されたうちで必要な部分の地図データの１つを表示し、表示しきれない部分を別の装置に出力または送信することでユーザは必要なナビゲーション情報を入手することができる。
なお、表示しきれない一部分を含めた地図データについては、コンビニエンスストアなどの店舗に設置されているコピー機などの出力装置に出力するようにしてもよい。また、他の携帯端末機に送信することで、残りの部分を表示させることも可能である。その結果、より詳細なデータを把握することができる。
【００１７】
前記課題を解決するために提供する請求項５に係る地図コンテンツ生成装置は、請求項１または請求項２の発明において、前記情報入力部では目的情報が入力され、前記データ解析部が、前記情報入力部で入力された目的情報に関連したランドマークデータだけを取捨選択し、簡略化された地図データとすることを特徴とする。
【００１８】
これにより、ユーザが必要とするランドマークが表示されるため、ユーザにとって画面が見やすくなり、ナビゲーション情報の内容を容易に把握することができる。ここで、目的情報とはユーザが目的地とともに入力する行動目的（テーマパーク、ショッピングなど）などのユーザ指定情報である。
【００１９】
前記課題を解決するために提供する請求項６に係る地図コンテンツ生成装置は、請求項１または請求項２の発明において、前記情報入力部では交通情報が入力され、前記データ処理部がその交通情報に基づいて進行ルートを識別することを特徴とする。
【００２０】
これにより、情報入力部で渋滞や交通規制に関する交通情報が入力され、データ処理部でその交通情報に基づいてスムーズに交通できるような進行ルートが識別されるようになる。
【００２１】
前記課題を解決するために提供する請求項７に係る地図コンテンツ生成装置は、請求項５または請求項６の発明において、前記データ処理部が特定の交通手段で限定される進行ルートを識別することを特徴とする。
【００２２】
これにより、さらに、入力された利用交通手段（自動車、電車などの交通機関）に基づき、その交通手段に適した進行ルートが識別される。
【００２３】
前記課題を解決するために提供する請求項８に係る地図コンテンツ生成方式は、現在地及び目的地の情報が入力される情報入力ステップと、位置座標と文字、記号とで構成されるランドマークデータと、道路中心線データと、ベクトル及び各種名称で構成される道路データとが格納されている地図データと前記入力された情報とを照らし合わせて現在地から目的地までの地域の地図データを識別する位置情報識別ステップと、前記位置情報識別ステップで識別された地図データからランドマークデータを取捨選択し、簡略化された地図データとする解析を行うデータ解析ステップと、現在地から目的地までの最適な進行ルートを選択し、その進行ルート上にある前記簡略化された地図データの道路形状を単純化し、デフォルメ処理して、表示用地図データを生成し、地図データ出力装置の画像表示可能サイズに応じてその表示用地図データを縮小するデータ処理ステップと、前記縮小された表示用地図データを前記地図データ出力装置に出力する情報出力ステップと、を含むことを特徴とする。
【００２４】
この方法により、簡素化された地図データを携帯電話、ＰＤＡ、カーナビゲーションなどをはじめとする携帯端末機あるいはパソコンなどに表示するとき、簡素化された地図データをそのまま表示するのではなく、表示画面サイズに応じたデータサイズに縮小することによって１画面でその地図データ全体を表示することができる。
【００２５】
前記課題を解決するために提供する請求項９に係る地図コンテンツ生成方式は、現在地及び目的地の情報が入力される情報入力ステップと、位置座標と文字、記号とで構成されるランドマークデータと、道路中心線データと、ベクトル及び各種名称で構成される道路データとが格納されている地図データと前記入力された情報とを照らし合わせて現在地から目的地までの地域の地図データを識別する位置情報識別ステップと、前記位置情報識別ステップで識別された地図データからランドマークデータを取捨選択し、簡略化された地図データとする解析を行うデータ解析ステップと、現在地から目的地までの最適な進行ルートを選択し、その進行ルート上にある前記簡略化された地図データの道路形状を単純化し、デフォルメ処理して、表示用地図データを生成し、地図データ出力装置の画像表示可能サイズに応じてその表示用地図データを分割するデータ処理ステップと、前記分割された表示用地図データを前記地図データ出力装置に出力する情報出力ステップと、を含むことを特徴とする。
【００２６】
この方法により、簡素化された地図データを携帯電話、ＰＤＡ、カーナビゲーションなどをはじめとする携帯端末機あるいはパソコンなどに表示するとき、簡素化された地図データをそのまま表示するのではなく、表示画面サイズに応じたデータサイズに分割することによって分割されたうちで必要な部分の地図データを表示することができる。
【００２７】
前記課題を解決するために提供する請求項１０に係る地図コンテンツ生成方式は、現在地及び目的地の情報が入力される情報入力ステップと、位置座標と文字、記号とで構成されるランドマークデータと、道路中心線データと、ベクトル及び各種名称で構成される道路データとが格納されている地図データと前記入力された情報とを照らし合わせて現在地から目的地までの地域の地図データを識別する位置情報識別ステップと、前記位置情報識別ステップで識別された地図データからランドマークデータを取捨選択し、簡略化された地図データとする解析を行うデータ解析ステップと、現在地から目的地までの最適な進行ルートを選択し、その進行ルート上にある前記簡略化された地図データの道路形状を単純化し、デフォルメ処理して、表示用地図データを生成し、地図データ出力装置の画像表示可能サイズに応じてその表示用地図データを分割するデータ処理ステップと、前記分割された表示用地図データのうちの一の表示用地図データを前記地図データ出力装置に出力する情報出力ステップと、を含むことを特徴とする。
【００２８】
この方法により、簡素化された地図データを携帯電話、ＰＤＡ、カーナビゲーションなどをはじめとする携帯端末機あるいはパソコンなどに表示するとき、簡素化された地図データをそのまま表示するのではなく、表示画面サイズに応じたデータサイズに分割することによって分割されたうちで必要な部分の地図データの１つを表示することができる。また、分割された地図データを順次表示するようにしてもよい。
【００２９】
前記課題を解決するために提供する請求項１１に係る地図コンテンツ生成方式は、請求項１０の発明において、前記情報送信ステップ部で、前記分割された表示用地図データのうちの残りの表示用地図データを他の地図データ出力装置に出力することを特徴とする。
【００３０】
この方法により、簡素化された地図データを携帯電話、ＰＤＡ、カーナビゲーションなどをはじめとする携帯端末機あるいはパソコンなどに表示するとき、簡素化された地図データをそのまま表示するのではなく、表示画面サイズに応じたデータサイズに分割することによって分割されたうちで必要な部分の地図データの１つを表示し、表示しきれない部分を別の装置に出力または送信することでユーザは必要なナビゲーション情報を入手することができる。
なお、表示しきれない一部分を含めた地図データについては、コンビニエンスストアなどの店舗に設置されているコピー機などの出力装置に出力するようにしてもよい。また、他の携帯端末機に送信することで、残りの部分を表示させることも可能である。その結果、より詳細なデータを把握することができる。
【００３１】
前記課題を解決するために提供する請求項１２に係る地図コンテンツ生成装置は、請求項８〜１０のいずれか一の発明において、前記情報入力ステップでは目的情報が入力され、前記データ解析ステップで、その入力された目的情報に関連したランドマークデータだけを取捨選択し、簡略化された地図データとすることを特徴とする。
【００３２】
この方法により、ユーザが必要とするランドマークが表示されるため、ユーザにとって画面が見やすくなり、ナビゲーション情報の内容を容易に把握することができる。ここで、目的情報とはユーザが目的地とともに入力する行動目的（テーマパーク、ショッピングなど）などのユーザ指定情報である。
【００３３】
前記課題を解決するために提供する請求項１３に係る地図コンテンツ生成装置は、請求項８〜１０のいずれか一の発明において、前記情報入力ステップでは交通情報が入力され、前記データ処理ステップで、その交通情報に基づいて進行ルートを識別することを特徴とする。
【００３４】
この方法により、情報入力部で渋滞や交通規制に関する交通情報が入力され、データ処理部でその交通情報に基づいてスムーズに交通できるような進行ルートが識別されるようになる。
【００３５】
前記課題を解決するために提供する請求項１４に係る地図コンテンツ生成装置は、請求項８〜１０のいずれか一の発明において、前記データ処理ステップで、特定の交通手段で限定される進行ルートを識別することを特徴とする。
【００３６】
この方法により、さらに、入力された利用交通手段（自動車、電車などの交通機関）に基づき、その交通手段に適した進行ルートが識別される。
【００３７】
【発明の実施の形態】
以下に、本発明に係る地図コンテンツ生成装置の一実施の形態における構成について図面を参照して説明する。
図１は、本発明に係る地図コンテンツ生成装置の第１の実施の形態における構成を示すブロック図である。
図１に示すように、地図コンテンツ生成装置の第１の実施の形態は、
現在地・目的地などの位置情報を入力するための入力部Ｃ０１と、
現在地・目的地付近の位置情報を識別する位置情報識別部Ｃ０２と、
地図データに含まれている情報を解析するデータ解析部Ｃ０３と、
解析結果に基づいて表示用地図データを生成するデータ処理部Ｃ０４と、
データ処理部で生成された表示用地図データを出力する出力部Ｃ０５と、
を備えている。地図コンテンツ生成の基となる、位置座標と文字、記号とで構成されるランドマークデータと、道路中心線データと、ベクトル及び各種名称で構成される道路データとが含まれる地図データは情報入力部から入力され取り込まれてもよいし、地図データが格納されたデータベース部を位置情報識別部Ｃ０２、データ解析部Ｃ０３、データ処理部Ｃ０４それぞれと接続する態様で設けてもよい。
【００３８】
上記構成の地図コンテンツ生成装置を使用した情報処理ステップの概要を図１、２を参照しながら説明する。
ユーザからキーボード・マウス・リモートコントローラー（リモコン）・タッチパネルなどの入力デバイス（入力部Ｃ０１）を介して、現在地・目的地などの位置情報が入力される（Ｆ０１）。位置情報識別部Ｃ０２は、入力された情報をもとに外部記憶装置などに格納された地図データを検索し、現在地から目的地までの地図データなどの情報を取り出す（Ｆ０２）。データ解析部Ｃ０３は、ステップＦ０２で取り出されたデータを解析して、ランドマークデータの中で進行ルートに関して目印（ランドマーク）となるようなもの（たとえば、付近の信号・施設名・道路名など）だけを取り出して、地図データを簡略化する（Ｆ０３）。データ処理部Ｃ０４は、曲線などを含む複雑に入れ混じった地図データをユーザが見やすいように直線中心ないしデフォルメ化するなどをして、表示用地図データを生成する（Ｆ０４）。データ処理部Ｃ０４によって、その生成された表示用地図データは出力先である液晶ディスプレイ、プリンタなどの表示デバイスの画像表示可能サイズに応じて所定の情報処理が行われた後に、出力部Ｃ０５はその表示用地図データをディスプレイ表示・プリントアウト・音声などの表示デバイスに出力するか、または、画像の付加情報部分に組み入れてディスプレイ表示・プリントアウト・音声などの表示デバイスに出力して、終了する（Ｆ０５）。
【００３９】
図３は、本発明に係る地図コンテンツ生成装置の第２の実施の形態における構成を示すブロック図である。
図３に示すように、地図コンテンツ生成装置の第２の実施の形態は、
現在地・目的地などの位置情報を受信するための受信部Ｃ１１と、
現在地・目的地付近の位置情報を識別する位置情報識別部Ｃ１２と、
地図データに含まれている情報を解析するデータ解析部Ｃ１３と、
解析結果に基づいて表示用地図データを生成するデータ処理部Ｃ１４と、
データ処理部で生成された表示用地図データを送信する送信部Ｃ１５と、
を備えている。地図コンテンツの基となる地図データは受信部Ｃ１１で受信されて取り込まれてもよいし、地図データが格納されたデータベース部を位置情報識別部Ｃ１２、データ解析部Ｃ１３、データ処理部Ｃ１４それぞれと接続する態様で設けてもよい。
【００４０】
上記構成の地図コンテンツ生成装置を使用した情報処理ステップの概要を図３、４を参照しながら説明する。
無線ＬＡＮ・ＧＰＳ（全地球測位システム）システム・Ｂｌｕｅｔｏｏｔｈ方式・赤外線など電波を受信する装置（受信部Ｃ１１）で、現在地・目的地などの位置情報を受信する（Ｆ１１）。位置情報識別部１２は、受信された情報をもとに外部記憶装置などに格納された地図データを検索し、現在地から目的地までの地図データなどの情報を取り出す（Ｆ１２）。データ解析部Ｃ１３は、ステップＦ１２で取り出されたデータを解析して、目印（ランドマーク）となるようなもの（たとえば、付近の信号・施設名・道路名など）だけを取り出して、地図データを簡略化する（Ｆ１３）。データ処理部Ｃ１４は、曲線などを含む複雑に入れ混じった地図データをユーザが見やすいように直線中心ないしデフォルメ化するなどをして、表示用地図データを生成する（Ｆ１４）。データ処理部Ｃ０４によって、その生成された表示用地図データは送信先の液晶ディスプレイ、プリンタなどの出力デバイスの画像表示可能サイズに応じて所定の情報処理が行われた後に、送信部Ｃ１５はその表示用地図データを無線ＬＡＮ・ＧＰＳ（全地球測位システム）システム・Ｂｌｕｅｔｏｏｔｈ方式・赤外線など電波を発信する装置で送信して終了する（Ｆ１５）。
【００４１】
図５は、本発明に係る地図コンテンツ生成装置の第３の実施の形態における構成を示すブロック図である。
図５に示すように、地図コンテンツ生成装置の第３の実施の形態は、
現在地・目的地などの位置情報を入力するための入力部Ｃ２１と、
現在地・目的地などの位置情報を受信するための受信部Ｃ２２と、
現在地・目的地付近の位置情報を識別する位置情報識別部Ｃ２３と、
地図データに含まれている情報を解析するデータ解析部Ｃ２４と、
解析結果に基づいて表示用地図データを生成するデータ処理部Ｃ２５と、
データ処理部で生成された表示用地図データを出力する出力部Ｃ２６と、
データ処理部で生成された表示用地図データを送信する送信部Ｃ２７と、
を備えている。地図コンテンツの基となる地図データは入力部Ｃ２１から入力され、あるいは受信部Ｃ２２から受信されて取り込まれてもよいし、地図データが格納されたデータベース部を位置情報識別部Ｃ２３、データ解析部Ｃ２４、データ処理部Ｃ２５それぞれと接続する態様で設けてもよい。
【００４２】
上記構成の地図コンテンツ生成装置を使用した情報処理ステップの概要を図５、６を参照しながら説明する。
ユーザからキーボード・マウス・リモートコントローラー（リモコン）・タッチパネルなどの入力デバイス（入力部Ｃ２１）を介して、現在地・目的地などの位置情報が入力される（Ｆ２１）。または、無線ＬＡＮ・ＧＰＳ（全地球測位システム）システム・Ｂｌｕｅｔｏｏｔｈ方式・赤外線など電波を受信する装置（送信部Ｃ２２）で、現在地・目的地などの位置情報が受信される（Ｆ２２）。位置情報識別部Ｃ２３は、入力または受信された情報をもとに外部記憶装置などに格納された地図データを検索し、現在地から目的地までの地図データなどの情報を取り出す（Ｆ２３）。データ解析部Ｃ２４は、ステップＦ２３で取り出されたデータを解析して、目印（ランドマーク）となるようなもの（たとえば、付近の信号・施設名・道路名など）だけを取り出して、地図データを簡略化する（Ｆ２４）。データ処理部Ｃ２５は、曲線などを含む複雑に入れ混じった地図データをユーザが見やすいように直線中心ないしデフォルメ化するなどをして、表示用地図データを生成する（Ｆ２５）。データ処理部Ｃ２５によって、その生成された表示用地図データは液晶ディスプレイ、プリンタなどの表示デバイスの画像表示可能サイズに応じて所定の情報処理が行われた後に、出力部Ｃ２６はその表示用地図データをディスプレイ表示・プリントアウト・音声などの表示デバイスに出力するか、または、画像の付加情報部分に組み入れてディスプレイ表示・プリントアウト・音声などの表示デバイスに出力する（Ｆ２６）。あるいは、送信部Ｃ１５はその表示用地図データを無線ＬＡＮ・ＧＰＳ（全地球測位システム）システム・Ｂｌｕｅｔｏｏｔｈ方式・赤外線など電波を発信する装置で表示デバイスに送信して終了する（Ｆ２７）
以上の処理のうち、ステップＦ２１の入力とステップＦ２２の受信とからの選択、ステップＦ２６の出力とステップＦ２７の発信とからの選択についてはユーザによってその都度選択される。
【００４３】
以上に示した３つの実施の形態では、位置情報識別部とデータ解析部とデータ処理部とデータベース部と入出力部（受信・送信部）とが１つの装置内に含まれる構成を示したが、位置情報識別部とデータベース部と受信・送信部とを備えた外部装置と、データ解析部とデータ処理部と受信・送信部とを備えた地図コンテンツ生成装置とが通信回線を通じて地図データに関する情報のやり取りを行うような構成の地図コンテンツ生成システムとしてもよい。あるいは、位置情報識別部とデータ解析部とデータベース部と受信・送信部とを備えた外部装置と、データ処理部と受信・送信部とを備えた地図コンテンツ生成装置とが通信回線を通じて地図データに関する情報のやり取りを行うような構成の地図コンテンツ生成システムとしてもよい。
【００４４】
以下に、位置情報識別部によって行われる位置情報識別ステップ及びデータ解析部によって行われるデータ解析ステップの詳細について図７を参照しながら説明する。なお、この内容は上記３つの実施の形態に共通した内容であるが、ここでは図５、６の第３の実施の形態を例に説明する。
（Ｆ３１）ユーザが入力した目的地の情報と、ユーザが入力した現在地の情報、またはその地図コンテンツ生成装置からの発信によって外部装置によって認識された現在地の位置情報とが入力部Ｃ２１または受信部Ｃ２２から位置情報識別部Ｃ２３に送られる。
【００４５】
（Ｆ３２）位置情報識別部Ｃ２３は、前記入力あるいは受信された目的地、現在地の情報を基にデータベース部に格納された地図データを検索し、現在地を含む地域の地図データ及び目的地を含む地域の地図データを取り出す。さらに、位置情報識別部Ｃ２３は、現在地から目的地までの地域の地図データを取得する。
ここで、地図データには、位置座標と文字、記号とで構成されるランドマークデータと、道路中心線データと、ベクトル及び各種名称で構成される道路データとが含まれており、例えば目的地を含む地域の地図データには目的地付近の目印になるようなもの（例えば、幹線道路・施設・表示住所・信号機など）の情報（ランドマークデータ）が含まれている。
【００４６】
（Ｆ３３）データ解析部Ｃ２４は、ユーザ指定情報を確認する。ここで、ユーザ指定情報とは、目的（テーマパーク、ショッピングなど）、使用道路、目標地域、施設（公園、学校など）、住所に関する情報であり、ユーザから適宜入力されるものである。また、必要に応じて利用交通手段などの情報が入力される。
【００４７】
（Ｆ３４）データ解析部Ｃ２４は、ユーザ指定情報と位置情報識別部Ｃ２３で選択された現在地を含む地域の地図データ、目的地を含む地域の地図データ、現在地から目的地までの地域の地図データとを比較し、各地図データに含まれるランドマークデータ及び／または道路データを取捨選択する。
例えば、現在地から目的地までの地域の地図データに含まれるランドマークデータに関しては、入力された利用交通手段に基づき、進行ルートを示すために適切なランドマークデータであるかどうかが判断される。
また、目的地を含む地域の地図データに関しては、ユーザが指定した道路・施設・住所などの情報と一致または近似するようなデータを取り出す処理を行う処理である。すなわち、目的地周辺にあるランドマークデータのうち、ユーザにとっては全く関係ないランドマークデータ（例えば、ユーザがテーマパークを目的地として指定した場合、中小商店などはユーザにとっては不要の情報である）は削除される。詳しくは、地図データに格納されているランドマークデータのそれぞれには目的事項が登録されており、ユーザが目的事項（目的地）を指定して入力すると、指定した目的事項と合致しないランドマークデータは削除され（Ｆ３６）、合致するランドマークデータだけが選択される（Ｆ３５）。なお、進行ルート近傍のランドマークデータは目的地へのルートを示すために必要な情報（この場合、目印代わりとして使えるため）として、残される（Ｆ３５）。
こうして選択された地図データを次のデータ処理部Ｃ２５によって行われるデータ処理ステップＦ２５に渡して、終了する。
【００４８】
つぎに、データ処理部によって行われるデータ処理ステップの詳細について図８を参照しながら説明する。なお、この内容は上記３つの実施の形態に共通した内容であるが、ここでは図５、６の第３の実施の形態を例に説明する。
（Ｆ４０１）データ処理部Ｃ２５は、現在位置から目的地までの地図データを検索して、現在位置から目的地までの最適な道路中心線データを選択し、進行ルートとする。進行ルートの選定については、一般的なカーナビゲーション（カーナビ）等に使われている技術を用いる。例として、データ解析ステップが終了した段階の地図データのイメージを図９に、さらに進行ルートＲ１が表示された地図データのイメージを図１０に示す。
前記情報入力部で渋滞や交通規制に関する交通情報が入力され、前記データ処理部でその交通情報に基づいてスムーズに交通できるような進行ルートが識別されるようにしてもよい。さらに、入力された利用交通手段（自動車、電車などの交通機関）に基づき、その交通手段に適した進行ルートが識別されるようにしてもよい。
【００４９】
（Ｆ４０２）データ処理部Ｃ２５は、選択された進行ルート上にある、道路のカーブの複雑性を判断する。具体的には、実際の道路データを示すベクトルデータの形状をパターン認識し、予め類型化しておいた道路のカーブ形状の中から近似するカーブ形状タイプを選択する。類型化の例を図１１に示す。
【００５０】
（Ｆ４０３）図１１（１）のようにループ状など複雑なカーブのときは、無理に直線化するよりも半円などの単純な曲線化にしたほうが見やすいので、単純曲線化処理を行う。例えば、円形状のベクトルデータ（ｘ２＋ｙ２＝ｒ２）とする。
【００５１】
（Ｆ４０４）図１１（２）のような蛇形状のカーブはなだらかなカーブであるため、単純に直線化したほうが見やすいので、直線化処理を行う。
【００５２】
（Ｆ４０５）道路のカーブ形状が簡略化された地図データをブロック化（デフォルメ化）して、地図データとする。地図データのデフォルメ化には、従来公知のデフォルメ化処理手順を用いればよい。
【００５３】
（Ｆ４０６）ランドマークなどの各種データを文字データ化して、ステップＦ４０５で生成された地図データ上に配置する。例として、文字データが配置された段階の地図データのイメージを図１２に示す。道路形状が斜線などである場合に見やすくするために直線化処理されており、目的地までのルートとは関係ない道路をデフォルメ化の時に削除されている。図１２のイメージにさらに進行ルートＲ２が表示された地図データのイメージを図１３に示す。
【００５４】
（Ｆ４０７）出力先の表示デバイスの画像表示可能サイズとステップＦ４０５で生成された地図データが標準条件で表示された場合の表示サイズとを比較し、表示用地図データが表示デバイスの１つの画面に収まるように適切な率を決定する。ここで、出力先がプリンタデバイスの場合には、使用される用紙サイズの１枚の用紙に収まるように適切な率を決定する。
なお、出力先の表示デバイスの画像表示可能サイズは、その表示デバイスが地図コンテンツ生成装置に接続された時点で接続装置情報の１つとして当該地図コンテンツ生成装置に認識されており、出力先のプリンタデバイスの用紙サイズは、そのプリンタデバイスが地図コンテンツ生成装置に接続された時点で接続装置情報の１つとして当該地図コンテンツ生成装置に認識されている。
【００５５】
（Ｆ４０８）データ処理部Ｃ２５は、上記ステップＦ４０１〜Ｆ４０７で得られたそれぞれのデータを１つにまとめて表示用地図データを生成する。
【００５６】
（Ｆ４０９）出力先の表示デバイスの画像表示可能サイズとステップＦ４０８で生成された表示用地図データの表示サイズとを比較し、１つの画面あるいは１枚の用紙に収まるかどうかの判断をする。１つの画面あるいは１枚の用紙に収まる場合には表示用地図データが出力部Ｃ２６から出力、あるいは送信部Ｃ２７から送信され（Ｆ４１１）、１つの画面あるいは１枚の用紙に出力され、地図コンテンツ生成処理が完了する。
【００５７】
（Ｆ４１０）図１４に示すようにステップＦ４０９の判定結果として、表示用地図データの中で表示あるいは印刷出力されない部分がある場合には、表示用地図データが分割される。分割は等分割であり、少なくとも前記表示デバイスに表示される表示用地図データの領域だけが分割された１つに入るように分割される。その例を図１５に示す。ついで、ステップＦ４０８で生成された表示用地図データが前記出力先の表示デバイスあるいはプリンタデバイスへ出力部Ｃ２６から出力、あるいは送信部Ｃ２７から送信され、表示用地図データの一部（図１４の出力・表示領域）が当該表示デバイスに表示され、あるいはプリンタデバイスから出力される。また、当該ステップで分割された表示用地図データのうち、ステップＦ４０９で表示あるいは印刷出力されないと判定された領域が含まれる分割データ（図１５の（１）、（３）、（４））が別の出力先の表示デバイスあるいはプリンタデバイスへ出力部Ｃ２６から出力、あるいは送信部Ｃ２７から送信され、残りの表示用地図データが別の表示デバイスに表示され、あるいはプリンタデバイスから出力されて、地図コンテンツ生成処理が完了する。
なお、分割された表示用地図データを１つのデバイスに順次出力するようにしてもよい。
【００５８】
また、上記進行ルートに関するデータを音声もしくはテキストデータに変換して、音声による出力やテキスト文字データの出力としてもよい。
さらに、データ処理部で生成される地図データの形式をドロー形式、ベクトル形式、またはテキスト形式で生成することとしてもよい。
【００５９】
以上の本発明の実施の形態が適用される例を実施例として示す。
（実施例１）
本発明は、一般的な携帯端末機（携帯電話、ＰＤＡなど）を利用して実現することも可能である。そのシステム構成を実施例１として図１６に示す。
実施例１のシステムは、
原稿を入力するための情報入力・受信装置Ｃ３１と、
原稿データを記憶するためのメモリバッファ部Ｃ３２と、
原稿データを電子データ化するためのエンコード部Ｃ３３と、
サムネイル画像など各種情報を表示するための情報出力装置Ｃ３４と、
各種操作を行うための入力操作手段Ｃ３５と、
原稿データを紙に出力するための印刷装置Ｃ３６と、
原稿データをネットワークへ送信するためのネットワークコントローラＣ３７と、
を備え、中心に配置されたメモリバッファ部Ｃ３２に各ユニットＣ３１、Ｃ３３〜Ｃ３７が接続された構成である。
また、このシステムをカーナビゲーションシステムとして適用してもよい。
【００６０】
（実施例２）
上記実施の形態で示した構成を一般的なコンピュータを利用して実現することも可能である。その構成を実施例２として図１７に示す。
実施例２のコンピュータは、
画像を入力するためのインターフェースＣ４１と、
画像データを処理するための中央演算装置（ＣＰＵ）４２と、
画像データなどを記憶媒体に書き込み読出しするためのドライブＣ４３と、
画像データをＣＤ−ＲＯＭなどに記録するための記録媒体Ｃ４４と、
画像データなどを記憶するための主記憶装置（メモリ）Ｃ４５と、
画像データを出力するためのインターフェース（出力Ｉ／Ｆ）Ｃ４６と、
画像データをネットワークへ送信するための制御装置（ネットワークコントローラ）Ｃ４７と、
を備え、記録媒体Ｃ４４を除いて各ユニットが相互に通信可能に接続された構成である。なお、この実施例はコンピュータ（ＰＣ）だけでなく、携帯電話、ＰＨＳ、ＰＤＡなど携帯端末機にも応用することができる。
【００６１】
以上のほかに、上記実施の形態で示した処理ステップに関する制御プログラムを記録媒体に記録した態様も本発明に含まれる。
また、地図データを文書、ＨＴＭＬ（ＸＭＬ等を含む）、画像、ＰＤＦなどのデータファイル（電子データ）を記録媒体に保管しておき、その記録媒体から読み出して表示するとき、地図データをそのまま表示するのではなく、ユーザが見やすい地図データに変換するようにしてもよい。
【００６２】
【発明の効果】
本発明の地図コンテンツ生成装置及び生成方式によれば、簡素化された地図データを携帯電話、ＰＤＡ、カーナビゲーションなどをはじめとする携帯端末機あるいはパソコンなどに表示するとき、簡素化された地図データをそのまま表示するのではなく、表示画面サイズに応じたデータサイズに縮小することによって１画面でその地図データ全体を表示することができる。
また、表示画面サイズに応じたデータサイズに分割することによって分割されたうちで必要な部分の地図データを表示することができる。
さらに、簡素化された地図データを携帯電話、ＰＤＡ、カーナビゲーションなどをはじめとする携帯端末機あるいはパソコンなどに表示するとき、簡素化された地図データをそのまま表示するのではなく、表示画面サイズに応じたデータサイズに分割することによって分割されたうちで必要な部分の地図データの１つを表示し、表示しきれない部分を別の装置に出力または送信することでユーザは必要なナビゲーション情報を入手することができる。
【００６３】
本発明の地図コンテンツ生成装置及び生成方式によれば、ユーザが必要とするランドマークが表示されるため、ユーザにとって画面が見やすくなり、ナビゲーション情報の内容を容易に把握することができる。
また、情報入力部で渋滞や交通規制に関する交通情報が入力され、データ処理部でその交通情報に基づいてスムーズに交通できるような進行ルートが識別されるようになる。さらに、入力された利用交通手段（自動車、電車などの交通機関）に基づき、その交通手段に適した進行ルートが識別可能である。
【図面の簡単な説明】
【図１】本発明に係る地図コンテンツ生成装置の第１の実施の形態における構成を示すブロック図である。
【図２】本発明に係る地図コンテンツ生成装置の第１の実施の形態における情報処理ステップを示すフローチャートである。
【図３】本発明に係る地図コンテンツ生成装置の第２の実施の形態における構成を示すブロック図である。
【図４】本発明に係る地図コンテンツ生成装置の第２の実施の形態における情報処理ステップを示すフローチャートである。
【図５】本発明に係る地図コンテンツ生成装置の第３の実施の形態における構成を示すブロック図である。
【図６】本発明に係る地図コンテンツ生成装置の第３の実施の形態における情報処理ステップを示すフローチャートである。
【図７】本発明に係る地図コンテンツ生成装置における情報処理ステップのうち、位置情報識別ステップ及びデータ解析ステップのフローチャートである。
【図８】本発明に係る地図コンテンツ生成装置における情報処理ステップのうち、データ処理ステップのフローチャートである。
【図９】本発明に係る地図コンテンツ生成装置における情報処理ステップのうち、データ解析ステップが終了した段階の地図データのイメージ図である。
【図１０】本発明に係る地図コンテンツ生成装置における情報処理ステップのうち、データ解析ステップが終了した段階の地図データに進行ルートが表示された地図データのイメージ図である。
【図１１】本発明に係る地図コンテンツ生成装置情報処理ステップのうち、データ処理ステップで使用する道路のカーブ形状の類型化パターン例を示す概念図である。
【図１２】本発明に係る地図コンテンツ生成装置における情報処理ステップのうち、データ処理ステップのデフォルメ化処理後の文字データが配置された段階の地図データのイメージ図である。
【図１３】本発明に係る地図コンテンツ生成装置における情報処理ステップのうち、データ処理ステップのデフォルメ化処理後の文字データが配置された段階の地図データに進行ルートが表示された地図データのイメージ図である。
【図１４】本発明に係る地図コンテンツ生成装置で生成された表示用地図データにおける出力・表示領域を示すイメージ図である。
【図１５】本発明に係る地図コンテンツ生成装置で生成された表示用地図データが分割された状態を示すイメージ図である。
【図１６】本発明に係る地図コンテンツ生成方式を適用した実施例１のシステム構成図である。
【図１７】本発明に係る地図コンテンツ生成方式を適用した実施例２のシステム構成図である。
【符号の説明】
Ｃ０１、Ｃ２１　　入力部
Ｃ０２、Ｃ１２、Ｃ２３　　位置情報識別部
Ｃ０３、Ｃ１３、Ｃ２４　　データ解析部
Ｃ０４、Ｃ１４、Ｃ２５　　データ処理部
Ｃ０５、Ｃ２６　　出力部
Ｃ１１、Ｃ２２　　受信部
Ｃ１２、Ｃ２７　　送信部
Ｃ３１　　情報入力・受信装置
Ｃ３２　　メモリバッファ
Ｃ３３　　エンコード
Ｃ３４　　情報出力装置
Ｃ３５　　入力操作手段
Ｃ３６　　印刷装置
Ｃ３７　　ネットワークコントローラ
Ｃ４１　　入力Ｉ／Ｆ
Ｃ４２　　ＣＰＵ
Ｃ４３　　ドライブ
Ｃ４４　　ＣＤ−ＲＯＭ
Ｃ４５　　メモリ
Ｃ４６　　出力Ｉ／Ｆ
Ｃ４７　　ネットワークコントローラ
【図１】
2004101586.tif 000003
【図２】
2004101586.tif 000004
【図３】
2004101586.tif 000005
【図４】
2004101586.tif 000006
【図５】
2004101586.tif 000007
【図６】
2004101586.tif 000008
【図７】
2004101586.tif 000009
【図８】
2004101586.tif 000010
【図９】
2004101586.tif 000011
【図１０】
2004101586.tif 000012
【図１１】
2004101586.tif 000013
【図１２】
2004101586.tif 000014
【図１３】
2004101586.tif 000015
【図１４】
2004101586.tif 000016
【図１５】
2004101586.tif 000017
【図１６】
2004101586.tif 000018
【図１７】
2004101586.tif 000019